【手続補正書】
【提出日】平成16年9月15日(2004.9.15)
【手続補正１】
【補正対象書類名】明細書
【補正対象項目名】全文
【補正方法】変更
【補正の内容】
【書類名】        明細書
【発明の名称】    パンツ型の使い捨て着用物品
【特許請求の範囲】
【請求項１】  互いに対向する前胴周り域および後胴周り域と、それら胴周り域の間に位置する股下域と、胴周り開口と、一対の脚周り開口とを備えるパンツ型の使い捨て着用物品において、
前記物品の胴周り寸法を調節する互いに着脱可能な止着部材と被止着部材とが、前記前胴周り域と前記後胴周り域とのうちの一方に取り付けられて該胴周り域を胴周り方向へ並んでいることを特徴とする前記着用物品。
【請求項２】  前記前後胴周り域のうちの少なくとも前記止着部材と前記被止着部材とが取り付けられた領域が、胴周り方向内方へ非収縮状態にある請求項１記載の着用物品。
【請求項３】  前記止着部材が、前記胴周り域の胴周り両側部に取り付けられ、前記被止着部材が、前記胴周り両側部の間に位置する胴周り中央部に取り付けられて胴周り方向へ延びている請求項１または請求項２に記載の着用物品。
【請求項４】  前記止着部材が、胴周り方向へ離間対向して前記胴周り両側部の間に位置する胴周り中央部に取り付けられ、前記被止着部材が、前記胴周り域の胴周り両側部に取り付けられて胴周り方向へ延びている請求項１または請求項２に記載の着用物品。
【請求項５】  前記止着部材が、前記胴周り開口の側から前記脚周り開口の側に向かって前記胴周り域の胴周り寸法を二分する縦中心線へ次第に近づくように傾斜している請求項３または請求項４に記載の着用物品。
【請求項６】  前記止着部材と前記被止着部材とが取り付けられた胴周り域の胴周り寸法が、それら部材が取り付けられていない胴周り域のそれよりも大きい請求項１ないし請求項５いずれかに記載の着用物品。
【請求項７】  前記止着部材が、メカニカルファスナのうちのフック部材とループ部材とのいずれか一方であり、前記被止着部材が、前記フック部材と前記ループ部材とのいずれか他方である請求項１ないし請求項６いずれかに記載の着用物品。
【請求項８】  前記止着部材が、外面に粘着剤を有するプラスチック製の止着テープであり、前記被止着部材が、前記粘着剤を介して前記止着テープを着脱可能なプラスチック製のターゲットテープである請求項１ないし請求項６いずれかに記載の着用物品。
【請求項９】  前記着用物品が、肌当接側に位置する透液性表面シートと、肌非当接側に位置する不透液性裏面シートと、それら表裏面シートの間に位置する吸液性パネルとから形成されている請求項１ないし請求項８いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
実質的に非伸縮性の透液性表面シートと実質的に非伸縮性の不透液性裏面シートとの間に吸液性パネルが介在し、互いに対向する前胴周り域および後胴周り域と、それら胴周り域の間に位置する股下域とを備え、前胴周り域の胴周り両側部の側縁近傍と後胴周り域の胴周り両側部の側縁近傍とが連結され、胴周り開口とその下方に一対の脚周り開口とを有するパンツ型の使い捨て着用物品は公知である。
【０００３】
パンツ型の使い捨て着用物品は、大人用や子供用のようなサイズの違いはあるものの、大人用や子供用にしてもその胴周り寸法があらかじめ決められた既製品が量産され、それらが市場に流通しており、異なる胴周り寸法毎に細分化された多様なサイズの物品が用意されているわけではない。したがって、使い捨て着用物品では、胴周り寸法の大きなそれを着用したとしても、物品がその着用中に着用者の胴部からずれ下がってしまうことがないように、着用者の胴部を締め付ける手段が設けられている。
【０００４】
そのような手段を設けたパンツ型の使い捨て着用物品としては、特開平９−３８１３４号公報や特開平９−２０６３３０号公報に開示されている。それら公報に開示の物品では、胴周り方向へ延びる複数条の胴周り用弾性部材が前後胴周り域に収縮可能に取り付けられ、脚周り方向へ延びる複数条の脚周り用弾性部材が股下域の脚周り両側部に収縮可能に取り付けられている。胴周り用弾性部材は、胴周り開口と脚周り開口との間を縦方向へ所与寸法離間して配置されている。それら物品は、胴周り用弾性部材の収縮力を利用して着用者の胴部を締め付け、その着用中に物品が着用者の胴部から不用意にずれ下がってしまうことを防いでいる。
【０００５】
なお、既製の使い捨て着用物品では、その胴周り寸法とその脚周り寸法とのうちの一方が決まると他方が必然的に決まる。これは、着用者の胴周り寸法と脚周り寸法とが相関関係にあるからである。
【０００６】
【発明が解決しようとする課題】
前記公報に開示の着用物品では、胴周り用弾性部材の収縮力が強いと、胴周り用弾性部材が着用者の胴部を必要以上に締め付けてしまうので、着用中に違和感があったり、着用者の肌に圧迫跡が付いたりする。また、介助者が着用者に物品を着用させる場合、胴周り用弾性部材の収縮によって縮んだ胴周り開口を胴周り用弾性部材の収縮力に抗して広げながら、胴周り開口と脚周り開口とに着用者の両脚をとおすとともに、物品を着用者の胴部まで引き上げなければならないので、着用に手間を要するのみならず、物品を着用させる介助者に大きな負担がかかっていた。
【０００７】
本発明の課題は、着用者に容易に着用させることができ、着用者の胴部を必要以上に締め付けることがなく、着用中のずれ下がりを防ぐことができるパンツ型の使い捨て着用物品を提供することにある。
【０００８】
【課題を解決するための手段】
前記課題を解決するための本発明の前提は、互いに対向する前胴周り域および後胴周り域と、それら胴周り域の間に位置する股下域と、胴周り開口と、一対の脚周り開口とを備えるパンツ型の使い捨て着用物品である。
【０００９】
前記前提における本発明の特徴は、互いに着脱可能な止着部材と被止着部材とが、前記前胴周り域と前記後胴周り域とのうちの一方に取り付けられて該胴周り域を胴周り方向へ並んでいることにある。
【００１０】
本発明は、以下の実施態様を有する。
（１）前記前後胴周り域のうちの少なくとも前記止着部材と前記被止着部材とが取り付けられた領域が、胴周り方向内方へ非収縮状態にある。
（２）前記止着部材が、前記胴周り域の胴周り両側部に取り付けられ、前記被止着部材が、前記胴周り両側部の間に位置する胴周り中央部に取り付けられて胴周り方向へ延びている。
（３）前記止着部材が、胴周り方向へ離間対向して前記胴周り両側部の間に位置する胴周り中央部に取り付けられ、前記被止着部材が、前記胴周り域の胴周り両側部に取り付けられて胴周り方向へ延びている。
（４）前記止着部材が、前記胴周り開口の側から前記脚周り開口の側に向かって前記胴周り域の胴周り寸法を二分する縦中心線へ次第に近づくように傾斜している。
（５）前記止着部材と前記被止着部材とが取り付けられた胴周り域の胴周り寸法が、それら部材が取り付けられていない胴周り域のそれよりも大きい。
（６）前記止着部材が、メカニカルファスナのうちのフック部材とループ部材とのいずれか一方であり、前記被止着部材が、前記フック部材と前記ループ部材とのいずれか他方である。
（７）前記止着部材が、外面に粘着剤を有するプラスチック製の止着テープであり、前記被止着部材が、前記粘着剤を介して前記止着テープを着脱可能なプラスチック製のターゲットテープである。
（８）前記着用物品が、肌当接側に位置する透液性表面シートと、肌非当接側に位置する不透液性裏面シートと、それら表裏面シートの間に位置する吸液性パネルとから形成されている。
【００１１】
【発明の実施の形態】
添付の図面を参照し、本発明にかかるパンツ型の使い捨て着用物品の詳細を説明すると、以下のとおりである。
【００１２】
図１，２は、一例として示す着用物品１Ａの斜視図と、前後胴周り域５，７の連結を解除した状態で示す図１の物品１Ａの部分破断展開平面図とであり、図３は、図１のＡ−Ａ線端面図である。図１，２では、胴周り方向を矢印Ｘ、縦方向を矢印Ｙで示し、脚周り方向を矢印Ｚ（図１のみ）で示す。なお、表面シート２や裏面シート３の内面とは、パネル４に対向する面をいい、それらシート２，３の外面とは、パネル４に非対向の面をいう。
【００１３】
物品１Ａは、肌当接側に位置する実質的に非伸縮性の透液性表面シート２と、肌非当接側に位置する実質的に非伸縮性の不透液性裏面シート３と、表裏面シート２，３の間に介在してそれらシート２，３のうちの少なくとも一方の内面に固着された吸液性パネル４とから構成されている。物品１Ａは、互いに対向する前胴周り域５および後胴周り域７と、それら胴周り域５，７の間に位置する股下域６とを有する。
【００１４】
前後胴周り域５，７は、胴周り両側部８，１０と、胴周り両側部８，１０の間に位置する胴周り中央部９，１１とを有する。胴周り両側部８，１０は、胴周り中央部９，１１の両側から胴周り方向外方へ延びている。前胴周り域５の端縁１２は、胴周り両側部８から胴周り中央部９に向かうにつれて縦方向上方へ凸となるように弧を画いている。股下域６は、脚周り方向へ延びる脚周り両側部１４と、脚周り両側部１４の間に位置する脚周り中央部１５とを有する。パネル４は、胴周り中央部９，１１と脚周り中央部１５とに位置し、股下域６から前後胴周り域５，７へ向かって延びている。
【００１５】
物品１Ａは、図２に示すように、股下域６の脚周り側部１４が物品１Ａの胴周り方向内方へ向かって弧を画き、その平面形状が実質的に砂時計型を呈する。物品１Ａでは、前胴周り域５の胴周り寸法Ｍ１が後胴周り域７の胴周り寸法Ｍ２よりも大きい。
【００１６】
物品１Ａでは、前胴周り域５の胴周り両側部８の側縁１６近傍と後胴周り域７の胴周り両側部１０の側縁１７近傍とが合掌状に重なり合い、それら胴周り両側部８，１０の側縁１６，１７近傍が縦方向へ間欠的に並ぶ多数の熱融着線１８を介して固着されている。物品１Ａには、胴周り開口１９とその下方に一対の脚周り開口２０とが形成されている。この物品１Ａでは、従来技術の使い捨て着用物品のように脚周り寸法によって必然的に決まる胴周り寸法と比較し、その胴周り寸法が大きく、物品１Ａの脚周り寸法が着用者のそれに合致したとしても、胴周り寸法が着用者のそれよりも大きくなる。
【００１７】
後胴周り域７の端縁１３近傍には、胴周り方向へ延びる複数条の胴周り用弾性部材２１が収縮可能に取り付けられている。後胴周り域７は、その端縁１３近傍が胴周り用弾性部材２１の収縮力によって胴周り方向内方へ収縮している。脚周り側部１４には、脚周り方向へ延びる複数条の脚周り用弾性部材２２が収縮可能に取り付けられている。脚周り側部１４は、脚周り用弾性部材２２の収縮力によって脚周り方向内方へ収縮している。
【００１８】
前胴周り域５には、物品１Ａの胴周り寸法を調節する互いに着脱可能なフック部材２３（止着部材）とループ部材２４（被止着部材）とが取り付けられている。前胴周り域５には、胴周り用弾性部材が取り付けられておらず、前胴周り域５が胴周り方向内方へ非収縮状態にある。
【００１９】
フック部材２３は、縦長帯状を呈し、胴周り開口１９と脚周り開口２０との間を縦方向へ延びている。フック部材２３は、前胴周り域５の胴周り両側部８に取り付けられている。フック部材２３は、胴周り開口１９の側から脚周り開口２０の側に向かって前胴周り域５の胴周り寸法Ｍ１を二分する縦中心線Ｌへ次第に近づくように傾斜している。
【００２０】
ループ部材２４は、胴周り方向へ長い矩形を呈し、フック部材２３の間を胴周り方向へ延びている。ループ部材２４は、前胴周り域５の胴周り中央部９の略全域に取り付けられている。ループ部材２４は、フック部材２３に対向する両側縁２４ａが胴周り開口１９の側から脚周り開口２０の側に向かって縦中心線Ｌへ次第に近づくように傾斜している。フック部材２３とループ部材２４とは、裏面シート３の外面にホットメルト型接着剤（図示せず）を介して固着されている。
【００２１】
なお、この物品１Ａでは、ループ部材２４が前胴周り域５の胴周り両側部８に取り付けられ、フック部材２３が前胴周り域５の胴周り中央部９に取り付けられていもよい。また、物品１Ａでは、フック部材２３とループ部材２４とが前胴周り域５に取り付けられておらず、フック部材２３とループ部材２４とのいずれか一方が後胴周り域７の胴周り両側部１０に取り付けられ、それら部材２３，２４の他方が後胴周り域７の胴周り中央部１１に取り付けられていもよい。
【００２２】
前後胴周り域５，７の端縁１２，１３では、パネル４の端縁４ａから縦方向上方へ表面シート２の端部２ａと裏面シート３の端部３ａとが延び、それらシート２，３の端部２ａ，３ａ内面どうしが固着されている。胴周り用弾性部材２１は、表面シート２の端部２ａと裏面シート３の端部３ａとの間に介在し、それらシート２，３の端部２ａ，３ａ内面に固着されている。
【００２３】
前後胴周り域５，７の胴周り両側部８，１０と股下域６の脚周り両側部１４とでは、パネル４の側縁４ｂから胴周り方向外方へ表面シート２の側部２ｂと裏面シート３の側部３ｂとが延び、それらシート２，３の側部２ｂ，３ｂ内面どうしが固着されている。脚周り用弾性部材２２は、表面シート２の側部２ｂと裏面シート３の側部３ｂとの間に介在し、それらシート２，３の側部２ｂ，３ｂ内面に固着されている。
【００２４】
図４，５は、フック部材２３をループ部材２４に止着した着用状態で示す図１の物品１Ａの斜視図と、図４のＢ−Ｂ線矢視断面図とである。介助者が着用者に物品１Ａを着用させるには、胴周り開口１９と脚周り開口２０とに着用者の両脚をとおした後、物品１Ａを着用者の胴部に引き上げる。次に、前胴周り域５の胴周り両側部８を胴周り中央部９の外側に重ね合わせ、着用者の胴部をわずかに締め付ける程度に物品１Ａの胴周り寸法を調節した後、フック部材２３をループ部材２４に止着する。着用状態にある物品１Ａでは、図５に示すように、周り両側部８と胴周り中央部９とがフック部材２３とループ部材２４との止着部位で断面Ｚ字状に折り重なっている。
【００２５】
物品１Ａでは、ループ部材２４に対するフック部材２３の止着位置を変えることによって、着用者の胴部の胴周り寸法に合わせて物品１Ａの胴周り寸法を調節することができ、胴周り用弾性部材の収縮力を利用することなく、物品１Ａが着用者の胴部から不用意にずれ下がってしまうことを防ぐことができる。物品１Ａでは、前後胴周り域に胴周り方向へ延びる複数条の胴周り用弾性部材を収縮可能に取り付けた従来技術の物品と異なり、着用者の胴部を必要以上に締め付けることを防ぐことができ、その着用中に違和感がなく、着用者の胴部に圧迫跡が付いてしまうこともない。
【００２６】
物品１Ａでは、前胴周り域５が胴周り方向内方へ収縮することはなく、物品１Ａを着用者に着用させる場合、従来技術の物品のように胴周り開口を胴周り用弾性部材の収縮力に抗して広げる必要はないので、着用に手間を要することはなく、物品１Ａを着用させる介助者に負担がかかることもない。
【００２７】
物品１Ａは、前胴周り域５の胴周り寸法Ｍ１が後胴周り域７のそれよりも大きく、前胴周り域５の胴周り寸法Ｍ１全長を利用して物品１Ａの胴周り寸法を調節することができ、物品１Ａの胴周り寸法を大幅に変えることができる。物品１Ａは、その胴周り寸法が着用者の胴周り寸法よりも大きくなるので、物品１Ａの着用時に、胴周り開口１９に着用者の両脚を容易にとおすことができるとともに、物品１Ａを着用者の胴部に容易に引き上げることができる。
【００２８】
物品１Ａでは、前胴周り域５の胴周り両側部８に取り付けられたフック部材２３が胴周り開口１９の側から脚周り開口２０の側に向かって縦中心線Ｌへ次第に近づくように傾斜しているので、フック部材２３を縦中心線Ｌに略平行させた状態でループ部材２４に止着した場合、股下域６近傍に位置する前胴周り域５の胴周り寸法Ｍ１が前胴周り域５の端縁１２近傍のそれよりも大きくなり、前胴周り域５の端縁１２近傍によって着用者の胴部が強く締め付けられたとしても、股下域６近傍に位置する前胴周り域５によって着用者の下腹部が強く締め付けられることはなく、着用者の下腹部に圧迫感を与えることはない。
【００２９】
図６，７は、他の一例として示す物品１Ｂの斜視図と、前後胴周り域５，７の連結を解除した状態で示す図６の物品１Ｂの部分破断展開平面図とであり、図８は、図６のＣ−Ｃ線端面図である。図６，７では、胴周り方向を矢印Ｘ、縦方向を矢印Ｙで示し、脚周り方向を矢印Ｚ（図６のみ）で示す。
【００３０】
物品１Ｂは、透液性表面シート２および不透液性裏面シート３と、表裏面シート２，３の間に介在する吸液性パネル４とから構成されている。表面シート２と裏面シート３とは、縦方向と胴周り方向とへ弾性的な伸縮性を有する。物品１Ｂは、互いに対向する前胴周り域５および後胴周り域７と、それら胴周り域５，７の間に位置する股下域６とを有する。物品１Ｂでは、前後胴周り域５，６の胴周り両側部８，１０の側縁１６，１７近傍が縦方向へ間欠的に並ぶ多数の熱融着線１８を介して固着されている。物品１Ｂには、胴周り開口１９とその下方に一対の脚周り開口２０とが形成されている。物品１Ｂでは、前胴周り域５の胴周り寸法Ｍ１と後胴周り域７の胴周り寸法Ｍ２とが略同一である。
【００３１】
脚周り側部１４には、脚周り方向へ延びる複数条の脚周り用弾性部材２２が収縮可能に取り付けられている。脚周り側部１４は、脚周り用弾性部材２２の収縮力によって脚周り方向内方へ収縮している。前胴周り域５には、物品１Ｂの胴周り寸法を調節する止着テープ２５（止着部材）と止着テープ２５を着脱可能なターゲットテープ２８（被止着部材）とが取り付けられている。前後胴周り域５，７には、胴周り用弾性部材が取り付けられておらず、前後胴周り域５，７が胴周り方向内方へ非収縮状態にある。
【００３２】
止着テープ２５は、可撓性を有するプラスチックフィルムから形成され、その外面に粘着剤２６が塗布されている。止着テープ２５は、縦長帯状を呈し、胴周り開口１９と脚周り開口２０との間を縦方向へ延びている。止着テープ２５は、胴周り方向へ互いに離間対向して前胴周り域５の胴周り両側部８の間に位置する胴周り中央部９に取り付けられている。止着テープ２５は、胴周り開口１９の側から脚周り開口２０の側に向かって縦中心線Ｌへ次第に近づくように傾斜している。粘着剤２６は、剥離紙２７に被覆、保護されている。
【００３３】
ターゲットテープ２８は、可撓性を有するプラスチックフィルムから形成されている。ターゲットテープ２８は、矩形を呈し、前胴周り域５の胴周り両側部８に取り付けられて胴周り方向へ延びている。ターゲットテープ２８は、胴周り開口１９の側から脚周り開口２０の側に向かって縦中心線Ｌへ次第に近づくように傾斜している。止着テープ２５とターゲットテープ２８とは、裏面シート３の外面に接着剤（図示せず）を介して固着されている。
【００３４】
なお、この物品１Ｂでは、止着テープ２５とターゲットテープ２８とが前胴周り域５に取り付けられておらず、止着テープ２５が後胴周り域７の胴周り両側部１０の間に位置する胴周り中央部１１に取り付けられ、ターゲットテープ２８が後胴周り域７の胴周り両側部１０に取り付けられていてもよい。
【００３５】
図９，１０は、止着テープ２５をターゲットテープ２８に止着した着用状態で示す図６の物品１Ｂの斜視図と、図９のＤ−Ｄ線矢視断面図とである。介助者が着用者に物品１Ｂを着用させるには、胴周り開口１９と脚周り開口２０とに着用者の両脚をとおした後、物品１Ｂを着用者の胴部に引き上げる。次に、剥離紙２７を止着テープ２５から剥がして粘着剤２６を露出させ、前胴周り域５の胴周り中央部９を胴周り両側部８の外側に重ね合わせて物品１Ｂの胴周り寸法を調節した後、粘着剤２６を介して止着テープ２５をターゲットテープ２８に止着する。着用状態にある物品１Ｂでは、図１０に示すように、周り両側部８と胴周り中央部９とが止着テープ２５とターゲットテープ２８との止着部位で断面Ｚ字状に折り重なっている。
【００３６】
物品１Ｂでは、ターゲットテープ２８に対する止着テープ２５の止着位置を変えることによって、着用者の胴部の胴周り寸法に合わせて物品１Ｂの胴周り寸法を調節することができ、胴周り用弾性部材の収縮力を利用することなく、物品１Ｂが着用者の胴部から不用意にずれ下がってしまうことを防ぐことができる。物品１Ｂでは、着用者の胴部を必要以上に締め付けることを防ぐことができるので、その着用中に違和感がなく、着用者の胴部に圧迫跡が付いてしまうこともない。
【００３７】
物品１Ｂでは、前後胴周り域５，７が胴周り方向内方へ収縮することはなく、物品１Ｂを着用者に着用させる場合、従来技術の物品のように胴周り開口を胴周り用弾性部材の収縮力に抗して広げる必要はないので、着用に手間を要することはなく、物品１Ｂを着用させる介助者に負担がかかることもない。
【００３８】
物品１Ｂでは、前胴周り域５の胴周り中央部９に取り付けられた止着テープ２５が胴周り開口１９の側から脚周り開口２０の側に向かって縦中心線Ｌへ次第に近づくように傾斜しているので、止着テープ２５を縦中心線Ｌに略平行させた状態でターゲットテープ２８に止着した場合、股下域６近傍に位置する前胴周り域５の胴周り寸法Ｍ１が前胴周り域５の端縁１２近傍のそれよりも大きくなり、股下域６近傍に位置する前胴周り域５によって着用者の下腹部が強く締め付けられることはなく、着用者の下腹部に圧迫感を与えることはない。
【００３９】
図１の物品１Ａの表面シート２には、親水性繊維不織布、多数の開孔を有する疎水性繊維不織布、微細な多数の開孔を有する透液性プラスチックフィルムのいずれかを使用することができる。図１の物品１Ａの裏面シート３には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。裏面シート３には、高い耐水性を有するメルトブローン法による繊維不織布を、高い強度と良好な柔軟性とを有するスパンボンド法による繊維不織布で挟んだ複合不織布を使用することもできる。
【００４０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４１】
図６の物品１Ｂの表面シート２には、伸縮性かつ親水性繊維不織布を使用することができる。図６の物品１Ｂの裏面シート３には、伸縮性かつ疎水性繊維不織布、伸縮性を有する不透液性プラスチックフィルム、２枚の伸縮性かつ疎水性繊維不織布を重ね合わせた複合不織布、２枚の伸縮性かつ不透液性プラスチックフィルムを重ね合わせた複合フィルム、伸縮性かつ疎水性の繊維不織布と伸縮性かつ不透液性のプラスチックフィルムとを重ね合わせた複合シートのいずれを使用することができる。伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。
【００４２】
また、図６の物品１Ｂの裏面シート３には、熱可塑性エラストマー樹脂繊維からなる伸縮性かつ疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を重ね合わせた複合不織布を使用することもできる。
【００４３】
吸液性パネル４は、フラッフパルプと高吸収性ポリマー粒子との混合物、または、フラッフパルプと高吸収性ポリマー粒子と熱可塑性合成樹脂繊維との混合物であり、所要の厚みに圧縮されている。パネル４は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００４４】
表裏面シート２，３どうしの固着や表裏面シート２，３に対するパネル４の固着、表裏シート２，３に対する弾性部材２１，２２の固着には、ホットメルト型接着剤、または、ヒートシールやソニックシール等の熱による溶着手段を利用することができる。
【００４５】
【発明の効果】
本発明にかかる使い捨て着用物品によれば、物品の胴周り寸法を調節する互いに着脱可能な止着部材と被止着部材とが前後胴周り域のうちのいずれか一方に取り付けられており、被止着部材に対する止着部材の止着位置を変えることによって、着用者の胴部の胴周り寸法に合わせて物品の胴周り寸法を調節することができ、着用者の胴部を必要以上に締め付けることを防ぎつつ、物品が着用者の胴部から不用意にずれ下がってしまうことを防ぐことができる。この物品では、着用者の胴部を必要以上に締め付けることはないので、物品の着用中に違和感がなく、着用者の胴部に圧迫跡が付いてしまうことを防ぐことができる。
【００４６】
この物品では、前後胴周り域のうちの少なくとも止着部材と被止着部材とが取り付けられた胴周り域が胴周り方向内方へ非収縮状態にあり、物品を着用者に着用させる場合、従来技術の物品のように胴周り開口を胴周り用弾性部材の収縮力に抗して広げる必要はないので、着用に手間を要することはなく、物品を着用させる介助者に負担がかかることもない。
止着部材と被止着部材とが取り付けられた胴周り域の胴周り寸法がそれら部材が取り付けられていない胴周り域のそれよりも大きい物品では、それら部材が取り付けられた胴周り域の胴周り寸法全長を利用して物品の胴周り寸法を調節することができ、物品の胴周り寸法を大幅に変えることができる。この物品は、その胴周り寸法が着用者の胴周り寸法よりも大きくなるので、物品の着用時に、胴周り開口に着用者の両脚を容易にとおすことができるとともに、物品を着用者の胴部に容易に引き上げることができる。
【００４７】
止着部材が胴周り開口の側から脚周り開口の側に向かって縦中心線へ次第に近づくように傾斜している物品では、止着部材を縦中心線と略平行に被止着部材に止着した場合、股下域近傍に位置する胴周り域の胴周り寸法が胴周り域の端縁近傍のそれよりも大きくなり、股下域近傍に位置する胴周り域によって着用者の下腹部が強く締め付けられることはなく、着用者の下腹部に圧迫感を与えることはない。
【図面の簡単な説明】
【図１】
一例として示す着用物品の斜視図。
【図２】
前後胴周り域の連結を解除した状態で示す図１の物品の部分破断展開平面図。
【図３】
図１のＡ−Ａ線端面図。
【図４】
フック部材をループ部材に止着した着用状態で示す図１の物品の斜視図。
【図５】
図４のＢ−Ｂ線矢視断面図。
【図６】
他の一例として示す物品の斜視図。
【図７】
前後胴周り域の連結を解除した状態で示す図６の物品の展開平面図。
【図８】
図６のＣ−Ｃ線端面図。
【図９】
止着テープをターゲットテープに止着した着用状態で示す図６の物品の斜視図。
【図１０】
図９のＤ−Ｄ線矢視断面図。
【符号の説明】
１Ａ          パンツ型の使い捨て着用物品
１Ｂ          パンツ型の使い捨て着用物品
２            透液性表面シート
３            不透液性裏面シート
４            吸液性コア
５            前胴周り域
６            股下域
７            後胴周り域
８            胴周り両側部
９            胴周り中央部
１０            胴周り両側部
１１            胴周り中央部
１６            側縁
１７            側縁
１９            胴周り開口
２０            脚周り開口
２３            フック部材（止着部材）
２４            ループ部材（被止着部材）
２５            止着テープ（止着部材）
２６            粘着剤
２８            ターゲットテープ（被止着部材）
Ｌ              縦中心線
Ｍ１            胴周り寸法
Ｍ２            胴周り寸法